(57)【要約】【課題】無線基地局装置１１１、１１２と、無線移動端末装置１２１〜１２４と、グループ通信サーバ１０１を有する無線通信システムで、グループ通信の開始処理を効率化する。【解決手段】無線基地局装置とグループ通信サーバとの間で、無線移動端末装置に未割り当てな複数のＩＰアドレスのそれぞれについて通信パスを接続する。無線基地局装置は無線移動端末装置を検出して未割り当てなＩＰアドレスを割り当てて無線移動端末装置の識別情報とＩＰアドレスをグループ通信サーバへ通知し、グループ通信サーバは識別情報とＩＰアドレスの対応を記憶する。無線移動端末装置はグループ通信の開始要求を無線基地局装置へ無線送信し、無線基地局装置はグループ通信の開始要求をグループ通信サーバへ送信し、グループ通信サーバは無線移動端末装置のＩＰアドレスを特定してグループ通信を確立する。【選択図】  図１
2008294821.tif 000002
【特許請求の範囲】
【請求項１】
１つ以上の無線基地局装置と、複数の無線移動端末装置と、１つ以上のグループ通信サーバを有する無線通信システムにおいて、
前記無線基地局装置と前記グループ通信サーバとの間で、前記無線移動端末装置に未割り当てである複数のＩＰアドレスのそれぞれについて通信パスを接続する通信パス接続手段を備えた、
ことを特徴とする無線通信システム。
【請求項２】
請求項１に記載の無線通信システムにおいて、
前記無線基地局装置は、自装置に収容される前記無線移動端末装置を検出する端末検出手段と、前記端末検出手段により検出された無線移動端末装置に前記未割り当てであるＩＰアドレスを割り当てる割当手段と、前記端末検出手段により検出された無線移動端末装置の識別情報と前記割当手段により割り当てられたＩＰアドレスを前記グループ通信サーバへ通知する通知手段と、を備え、
前記グループ通信サーバは、前記無線基地局装置からの前記通知を受信する通知受信手段と、前記通知受信手段により受信された通知の内容に基づいて前記無線移動端末装置の識別情報とＩＰアドレスの対応を記憶する対応記憶手段と、を備えた、
ことを特徴とする無線通信システム。
【請求項３】
請求項２に記載の無線通信システムにおいて、
前記無線移動端末装置は、グループ通信を行う相手とする他の無線移動端末装置の識別情報を含むグループ通信の開始要求を前記無線基地局装置へ無線により送信する端末開始要求手段を備え、
前記無線基地局装置は、前記無線移動端末装置から前記グループ通信の開始要求を受信する基地局開始要求受信手段と、前記基地局開始要求受信手段により受信された前記グループ通信の開始要求の内容に基づいて要求元の無線移動端末装置の識別情報及びグループ通信を行う相手とする無線移動端末装置の識別情報を含むグループ通信の開始要求を前記グループ通信サーバへ送信する基地局開始要求手段を備え、
前記グループ通信サーバは、前記無線基地局装置から前記グループ通信の開始要求を受信するサーバ開始要求受信手段と、前記サーバ開始要求受信手段により受信された前記グループ通信の開始要求の内容及び前記対応記憶手段の記憶内容に基づいて要求元の無線移動端末装置のＩＰアドレス及びグループ通信を行う相手とする無線移動端末装置のＩＰアドレスを特定するＩＰアドレス特定手段と、前記ＩＰアドレス特定手段により特定されたＩＰアドレスを用いて前記通信パス接続手段により接続された通信パスによりグループ通信を確立するグループ通信確立手段と、を備えた、
ことを特徴とする無線通信システム。
【発明の詳細な説明】
【技術分野】
【０００１】
本発明は、無線通信システムに関し、特に、グループ通信の開始処理を効率化した無線通信システムに関する。
【背景技術】
【０００２】
従来の無線通信システムでは、回線制御装置（ＬＣＵ）と無線基地局装置（ＢＳ）とが専用線で接続されており、無線基地局装置と無線移動端末装置（ＭＳ）とが無線により通信することが行われていた。しかしながら、このような専用線は高価であった。
【０００３】
図７を参照して、参考例として、ＳＩＰ（Ｓｅｓｓｉｏｎ  Ｉｎｉｔｉｔｉｏｎ  Ｐｒｏｔｏｃｏｌ）セッションを適用した場合を示す。なお、この参考例は、必ずしも従来の技術であるとは限らない。
この参考例では、無線通信システムの構成としては、例えば、図１においてアクセスゲートウエイ１０２が設けられないような構成となる。
また、図７において、グループ通話サーバと無線移動端末装置＃２、＃３との間には基地局装置が介在するが、その基地局装置については説明を省略する。
【０００４】
ＩＰ（Ｉｎｔｅｒｎｅｔ  Ｐｒｏｔｏｃｏｌ）ネットワーク上でＳＩＰプロトコルを使用したグループ通話では、無線移動端末装置からグループ通話要求を行った後に、ＳＩＰプロトコルを使用してグループ通話サーバにセッション制御を行い、セッション確立後にグループ通話サーバからグループ通話に呼び込む各無線移動端末装置に対してセッション制御を行う。各無線移動端末装置とＳＩＰサーバとの間でセッションが確立すると、グループ通話を開始することができる。
【０００５】
図７には、グループ通話開始の流れの一例を示してある。
（１）ユーザ（人）によりプレススイッチがオンされると、無線移動端末装置＃１が無線基地局装置へグループ通話開始要求の信号を無線送信する。このグループ通話開始要求には、グループ通話の相手とする無線移動端末装置＃２、＃３のＩＰアドレスの情報が含められる。このＩＰアドレスの情報は、例えば、予め、無線移動端末装置＃１のメモリに記憶されている。
（２）無線基地局装置は、前記したグループ通話開始要求を受信すると、無線移動端末装置＃１が無線移動端末装置＃２、＃３とのグループ通話を要求していることを示すＩＮＶＩＴＥの信号をグループ通話サーバへ送信する。
【０００６】
（３）グループ通話サーバは、前記したＩＮＶＩＴＥを受信すると、処理中であることを示す１００Ｔｒｙｉｎｇの信号を無線基地局装置へ送信する。
（４）また、グループ通話サーバは、ＩＮＶＩＴＥの信号を無線移動端末装置＃２へ送信する。
（５）同様に、グループ通話サーバは、ＩＮＶＩＴＥの信号を無線移動端末装置＃３へ送信する。
（６）無線移動端末装置＃２は、前記したＩＮＶＩＴＥを受信すると、呼び出し中であることを示す１８０Ｒｉｎｇｉｎｇの信号をグループ通話サーバへ送信する。
（７）同様に、無線移動端末装置＃３は、前記したＩＮＶＩＴＥを受信すると、呼び出し中であることを示す１８０Ｒｉｎｇｉｎｇの信号をグループ通話サーバへ送信する。
【０００７】
（８）無線移動端末装置＃２は、自装置のＩＰアドレスとポート番号を通知するための２００ＯＫの信号をグループ通話サーバへ送信する。
（９）グループ通話サーバは、前記した２００ＯＫの信号を受信すると、ＡＣＫの信号を無線移動端末装置＃２へ送信する。
（１０）これにより、グループ通話サーバと無線移動端末装置＃２との間でＲＴＰ（Ｒｅａｌ−ｔｉｍｅ  Ｔｒａｎｓｐｏｒｔ  Ｐｒｏｔｏｃｏｌ）／ＲＴＣＰ（ＲＴＰ  Ｃｏｎｔｒｏｌ  Ｐｒｏｔｏｃｏｌ）接続が確立される。
【０００８】
（１１）同様に、無線移動端末装置＃３は、自装置のＩＰアドレスとポート番号を通知するための２００ＯＫの信号をグループ通話サーバへ送信する。
（１２）グループ通話サーバは、前記した２００ＯＫの信号を受信すると、ＡＣＫの信号を無線移動端末装置＃３へ送信する。
（１３）これにより、グループ通話サーバと無線移動端末装置＃３との間でＲＴＰ／ＲＴＣＰ接続が確立される。
【０００９】
（１４）グループ通話サーバは、無線移動端末装置＃２、＃３との接続が確立されたことを示す２００ＯＫの信号を無線基地局装置へ送信する。
（１５）無線基地局装置は、前記した２００ＯＫを受信すると、ＡＣＫの信号をグループ通話サーバへ送信する。
（１６）これにより、グループ通話サーバと無線基地局装置との間でＲＴＰ／ＲＴＣＰ接続が確立される。
（１７）すると、無線基地局装置は、グループ通話開始応答の信号を無線移動端末装置＃１へ送信する。これにより、無線移動端末装置＃１から無線移動端末装置＃２、＃３へ音声を送ることが可能となる。
【００１０】
【特許文献１】特開２００４−３３６６１７号公報
【発明の開示】
【発明が解決しようとする課題】
【００１１】
しかしながら、図７に示されるような処理では、次のような（問題１）、（問題２）が発生する。
（問題１）グループ通話を開始するたびに、無線移動端末装置とＳＩＰサーバとの間でセッション制御を行う必要があり、処理効率がよくない。
（問題２）無線移動端末装置の数の分のセッション制御を行う必要があるため、グループ通話に呼び込む無線移動端末装置が増えると、グループ通話の開始に遅延が生じる。
【００１２】
本発明は、このような従来の事情に鑑み為されたもので、グループ通信の開始処理を効率化した無線通信システムを提供することを目的とする。
【課題を解決するための手段】
【００１３】
上記目的を達成するため、本発明では、１つ以上の無線基地局装置と、複数の無線移動端末装置と、１つ以上のグループ通信サーバを有する無線通信システムにおいて、次のような構成とした。
すなわち、通信パス接続手段が、前記無線基地局装置と前記グループ通信サーバとの間で、前記無線移動端末装置に未割り当てである（つまり、割り当てられていない）複数のＩＰアドレスのそれぞれについて通信パスを接続する。
【００１４】
従って、無線移動端末装置によりグループ通信が行われる前に、予め、無線移動端末装置に割り当てる予定のＩＰアドレスについて通信パスを接続しておくことにより、グループ通信の準備をしておくことができ、これにより、実際にグループ通信が行われるときにはグループ通信の開始を迅速に実現することができ、このように、グループ通信の開始処理を効率化することができる。
【００１５】
ここで、通信パス接続手段の機能は、例えば、無線基地局装置やグループ通信サーバに設けられる。また、一構成例として、アクセスゲートウエイが設けられてもよく、この場合、通信パス接続手段の機能は、例えば、無線基地局装置やアクセスゲートウエイやグループ通信サーバに設けられる。
また、通信としては、例えば、音声の通信（通話）や、テキストや画像などのデータの通信など、種々なものが用いられてもよい。
【００１６】
本発明に係る無線通信システムでは、一構成例として、次のような構成とした。
すなわち、前記無線基地局装置では、端末検出手段が、自装置（当該無線基地局装置）に収容される前記無線移動端末装置を検出する。割当手段が、前記端末検出手段により検出された無線移動端末装置に、前記未割り当てであるＩＰアドレスを割り当てる。通知手段が、前記端末検出手段により検出された無線移動端末装置の識別情報と前記割当手段により割り当てられたＩＰアドレスを前記グループ通信サーバへ通知する。
前記グループ通信サーバでは、通知受信手段が、前記無線基地局装置からの前記通知を受信する。対応記憶手段が、前記通知受信手段により受信された通知の内容に基づいて、前記無線移動端末装置の識別情報とＩＰアドレスの対応を記憶する。
【００１７】
従って、無線基地局装置により無線移動端末装置が検出された場合に、当該無線移動端末装置にＩＰアドレスが割り当てられて、当該無線移動端末装置の識別情報とＩＰアドレスの対応がグループ通信サーバに登録されるため、グループ通信サーバにおいて、予め、無線移動端末装置の識別情報とＩＰアドレスの対応を把握しておくことができ、これにより、グループ通信の開始を迅速に実現することができ、グループ通信の開始処理を効率化することができる。
【００１８】
ここで、無線移動端末装置の識別情報としては、種々な情報が用いられてもよく、例えば、電話番号の情報を用いることができる。なお、無線移動端末装置の識別情報は、例えば、無線移動端末装置から無線基地局装置への通信信号に含められて、無線基地局装置により検出される。
また、対応記憶手段としては、例えば、メモリを用いて構成することができる。
【００１９】
本発明に係る無線通信システムでは、一構成例として、次のような構成とした。
すなわち、前記無線移動端末装置では、端末開始要求手段が、グループ通信を行う相手とする他の無線移動端末装置の識別情報を含むグループ通信の開始要求を前記無線基地局装置へ無線により送信する。
前記無線基地局装置では、基地局開始要求受信手段が、前記無線移動端末装置から前記グループ通信の開始要求を受信する。基地局開始要求手段が、前記基地局開始要求受信手段により受信された前記グループ通信の開始要求の内容に基づいて、要求元の無線移動端末装置の識別情報及びグループ通信を行う相手とする無線移動端末装置の識別情報を含むグループ通信の開始要求を前記グループ通信サーバへ送信する。
前記グループ通信サーバでは、サーバ開始要求受信手段が、前記無線基地局装置から前記グループ通信の開始要求を受信する。ＩＰアドレス特定手段が、前記サーバ開始要求受信手段により受信された前記グループ通信の開始要求の内容及び前記対応記憶手段の記憶内容に基づいて、要求元の無線移動端末装置のＩＰアドレス及びグループ通信を行う相手とする無線移動端末装置のＩＰアドレスを特定する。グループ通信確立手段が、前記ＩＰアドレス特定手段により特定されたＩＰアドレスを用いて、前記通信パス接続手段により接続された通信パスにより、グループ通信を確立する。
【００２０】
従って、無線移動端末装置によりグループ通信の開始要求があった場合には、グループ通信に係る無線移動端末装置の識別情報が無線基地局装置からグループ通信サーバへ通知されて、グループ通信サーバにおいて、無線移動端末装置の識別情報からＩＰアドレスが特定されて、既に接続されている通信パスによりグループ通信が確立されるため、グループ通信の開始を迅速に実現することができ、グループ通信の開始処理を効率化することができる。
【発明の効果】
【００２１】
以上説明したように、本発明に係る無線通信システムによると、無線基地局装置とグループ通信サーバとの間で、予め、未割り当てであるＩＰアドレスについて通信パスを接続しておくことや、また、無線基地局装置が検出した無線移動端末装置にＩＰアドレスを割り当てて、グループ通信サーバが無線移動端末装置の識別情報とＩＰアドレスの対応を記憶しておくことや、また、無線移動端末装置によりグループ通信の開始要求があった場合にはグループ通信サーバが当該無線移動端末装置やグループ通信の相手となる無線移動端末装置のＩＰアドレスを用いて既に確立されている通信パスによりグループ通信を確立することにより、例えば、無線移動端末装置によりグループ通信の開始要求があった場合にグループ通信の開始を迅速に実現することができ、グループ通信の開始処理を効率化することができる。
【発明を実施するための最良の形態】
【００２２】
本発明に係る実施例を図面を参照して説明する。
図１には、本発明の一実施例に係るＩＰネットワークシステムの構成例を示してある。
本例のＩＰネットワークシステムは、グループ通話サーバ（グループ通信サーバの一例）１０１と、アクセスゲートウエイ１０２と、例えばイーサネット（登録商標）から構成されたネットワーク１０３と、ルータ１０４と、例えばＷＡＮ（Ｗｉｄｅ  Ａｒｅａ  Ｎｅｔｗｏｒｋ）などから構成されたマネッジドＩＰ網（Ｍａｎａｇｅｄ  ＩＰ網）１０５と、ルータ１０６と、例えばイーサネット（登録商標）から構成されたネットワーク１０７、１０８と、複数の無線基地局装置１１１、１１２と、複数の無線移動端末装置１２１〜１２４を有している。
また、図１には、各無線基地局装置１１１、１１２の無線エリア１３１、１３２を示してある。
【００２３】
ここで、グループ通話サーバ１０１とアクセスゲートウエイ１０２とルータ１０４は、ネットワーク１０３に接続されている。
また、ルータ１０４とルータ１０６は、マネッジドＩＰ網１０５に接続されている。
また、ルータ１０６と無線基地局装置１１１はネットワーク１０７を介して接続されており、ルータ１０６と無線基地局装置１１２はネットワーク１０８を介して接続されている。
【００２４】
グループ通話サーバ１０１は、ＳＩＰ／ＳＤＰ（Ｓｅｓｓｉｏｎ  Ｄｅｓｃｒｉｐｔｉｏｎ  Ｐｒｏｔｏｃｏｌ）スタック及びＲＴＰ／ＲＴＣＰスタックを備えている。
アクセスゲートウエイ１０２は、ＳＩＰ／ＳＤＰスタックを備えている。
各無線基地局装置１１１、１１２は、ＲＴＰ／ＲＴＣＰスタックを備えている。
【００２５】
本例では、グループ通話サーバ１０１とアクセスゲートウエイ１０２は、ＳＩＰプロトコルを使用してイーサネット（登録商標）で接続され、また、グループ通話サーバ１０１と無線基地局装置１１１、１１２は、ＲＴＰ／ＲＴＣＰプロトコルを使用してイーサネット（登録商標）で接続される。
また、無線基地局装置１１１、１１２と無線移動端末装置１２１〜１２４との通信では、無線区間で様々な無線通信方式が用いられてもよい。具体例としては、ＴＤＭＡ（Ｔｉｍｅ  Ｄｉｖｉｓｉｏｎ  Ｍｕｌｔｉｐｌｅ  Ａｃｃｅｓｓ）方式や、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式や、ＳＣＰＣ（Ｓｉｎｇｌｅ  Ｃｈａｎｎｅｌ  Ｐｅｒ  Ｃａｒｒｉｅｒ）方式や、ＰＨＳ（Ｐｅｒｓｏｎａｌ  Ｈａｎｄｙ  ｐｈｏｎｅ  Ｓｙｓｔｅｍ）方式などの無線通信方式を用いることができる。
【００２６】
図２には、本例のＩＰネットワークシステムにおける初期動作の流れの一例を示してある。なお、図２では、１つの無線基地局装置のみを示しているが、各無線基地局装置１１１、１１２について同様な処理が行われる。また、ルータ１０４、１０６やネットワーク１０３、１０７、１０８やマネッジドＩＰ網１０５は通信を中継するが、図示や説明を省略する。
【００２７】
（１）各無線基地局装置１１１、１１２は、起動時に、当該各無線基地局装置１１１、１１２により収容することが可能な無線移動端末装置１２１〜１２４の数の分だけＩＰアドレス及びポート番号の設定を行う。このＩＰアドレスの一覧は、この時点では、無線移動端末装置１２１〜１２４には割り当てられておらず、使用可能なものとなる。また、ポート番号としては、本例では、グループ通話（グループ通信の一例）のためのポート番号が用いられ、例えば、全てのＩＰアドレスについて同一のポート番号が用いられる。
【００２８】
（２）また、アクセスゲートウエイ１０２は、起動時に、当該アクセスゲートウエイ１０２により収容することが可能な無線移動端末装置１２１〜１２４の数の分だけＳＩＰユーザエージェント（ＳＩＰ  ＵＡ）を起動する。
ここで、アクセスゲートウエイ１０２は、予め、ＩＰネットワークに接続されている各無線基地局装置１１１、１１２において設定されるＩＰアドレスのデータ及びポート番号のデータ（ＩＰアドレスの一覧と対応するポート番号のデータ）をメモリに記憶して有している。
なお、ポート番号は、例えば、アクセスゲートウエイ１０２により作成されて、各無線基地局装置１１１、１１２に設定される。
【００２９】
アクセスゲートウエイ１０２の各ＳＩＰ  ＵＡは、グループ通話サーバ１０１に対して、ＳＩＰによるグループ通話のためのセッション制御を開始する。
（３）１番目のＳＩＰ  ＵＡは、ＩＮＶＩＴＥ（招待）の信号をグループ通話サーバ１０１へ送信する。
（４）グループ通話サーバ１０１は、前記したＩＮＶＩＴＥを受信すると、２００ＯＫ（成功）の信号を１番目のＳＩＰ  ＵＡへ送信する。
（５）１番目のＳＩＰ  ＵＡは、前記した２００ＯＫを受信すると、ＡＣＫ（了解）の信号をグループ通話サーバ１０１へ送信する。
（６）これにより、ＩＰアドレスの一覧中で１番目のＩＰアドレスについて、無線基地局装置１１１（又は、無線基地局装置１１２）とグループ通話サーバ１０１との間でＲＴＰ／ＲＴＣＰ接続が確立される。
【００３０】
ここで、本例では、グループ通話サーバ１０１と各無線基地局装置１１１、１１２とがＲＴＰ／ＲＴＣＰを介して接続状態となるが、ＲＴＰの制御を停止させて、ＲＴＰのパケットをネットワーク上には送信させない（ＲＴＰで無音音声を流さない）ようにすることで、無駄な通信を省略している。なお、このようなＲＴＰ制御停止の処理は、必ずしも行われなくともよい。
【００３１】
上記した１番目のＳＩＰ  ＵＡと同様な処理が、繰り返して、全て（本例では、Ｎ個）のＳＩＰ  ＵＡにより行われる。
そして、最後（Ｎ番目）のＳＩＰ  ＵＡにより上記した処理（３）、（４）、（５）、（６）と同様な処理（７）、（８）、（９）、（１０）が行われると、グループ通話の準備が完了する。
このように、本例では、グループ通話接続先のＲＴＰのＩＰアドレスとして、各無線基地局装置１１１、１１２で設定しているＩＰアドレスを登録する。
【００３２】
図３には、本例のＩＰネットワークシステムにおける登録動作の流れの一例を示してある。なお、図３では、１つの無線基地局装置のみを示しているが、各無線基地局装置１１１、１１２について同様な処理が行われる。また、ルータ１０４、１０６やネットワーク１０３、１０７、１０８やマネッジドＩＰ網１０５は通信を中継するが、図示や説明を省略する。
【００３３】
（１）本例では、無線基地局装置１１１、１１２と無線移動端末装置１２１〜１２４とは様々な無線通信方式で接続されてもよい。
各無線基地局装置１１１、１１２は、自装置の無線エリア１３１、１３２において無線移動端末装置１２１〜１２４の電源投入があった時や、自装置の無線エリア１３１、１３２に無線移動端末装置１２１〜１２４が移動してきたことを検出する。
（２）すると、各無線基地局装置１１１、１１２は、その無線移動端末装置１２１〜１２４に１つのＩＰアドレスを割り当てる。このＩＰアドレスとしては、前記したＩＰアドレスの一覧の中から使用可能なものが選択される。
このように、各無線基地局装置１１１、１１２は、自装置が収容する各無線移動端末装置１２１〜１２４にそれぞれＩＰアドレスを割り当てる。
【００３４】
ここで、各無線基地局装置１１１、１１２は、自装置が収容する各無線移動端末装置１２１〜１２４の電話番号のデータと割り当てたＩＰアドレスのデータを対応付けてメモリに記憶する。本例では、電話番号のデータが、各無線移動端末装置１２１〜１２４の識別情報（ＩＤ）として用いられており、各無線移動端末装置１２１〜１２４から無線基地局装置１１１、１１２へ通知される。
【００３５】
（３）各無線基地局装置１１１、１１２は、ＩＰアドレスの割り当てと同時に（或いは、同時でなくてもよい）、その無線移動端末装置１２１〜１２４の電話番号のデータとＩＰアドレスのデータとの対応情報を含めたＲＴＣＰのＳＤＥＳ（Ｓｏｕｒｃｅ  Ｄｅｓｃｒｉｐｔｉｏｎ）パケットを、グループ通話登録要求として、グループ通話サーバ１０１へ送信する。
（４）グループ通話サーバ１０１は、前記したグループ通話登録要求を受信すると、その受信内容に基づいて、当該グループ通話サーバ１０１内に設けてあるロケーションテーブルに、無線移動端末装置１２１〜１２４の電話番号のデータとＩＰアドレスのデータとの対応を登録する。なお、ロケーションテーブルは、例えば、グループ通話サーバ１０１のメモリに構成される。
【００３６】
図４には、ＳＤＥＳパケットのフォーマットの一例を示してある。
図４（ａ）にはＳＤＥＳパケットの構成例を示してあり、図４（ｂ）にはパケットフィールドの構成例を示してあり、図４（ｃ）にはＳＤＥＳアイテムフォーマットを示してあり、図４（ｄ）にはＳＤＥＳアイテムフィールドの構成例を示してある。
ここで、ＳＳＲＣ（Ｓｙｎｃｈｒｏｎｉｚａｔｉｏｎ  Ｓｏｕｒｃｅ）数がアイテムリストの数を表しており、図４（ｃ）の情報がソース情報となる。
例えば、図４（ｃ）に示されるＳＤＥＳアイテムで、電話番号のみを送った後にＩＰアドレスのみを送ると、連続したこれらの電話番号とＩＰアドレスが対応するものとして把握される。
【００３７】
図５には、本例のＩＰネットワークシステムにおけるグループ通話開始／停止の流れの一例を示してある。なお、図５では、１つの無線移動端末装置及び１つの無線基地局装置のみを示しているが、各無線移動端末装置１２１〜１２４及び各無線基地局装置１１１、１１２について同様な処理が行われる。また、ルータ１０４、１０６やネットワーク１０３、１０７、１０８やマネッジドＩＰ網１０５は通信を中継するが、図示や説明を省略する。また、各無線移動端末装置１２１〜１２４は、自装置が収容される無線基地局装置１１１、１１２との間で無線通信する。
【００３８】
本例のグループ通話では、１つの無線移動端末装置が他の１つ以上であるｍ個の無線移動端末装置へ同一の情報（本例では、音声情報）を送り、つまり１対ｍの通信が行われ、逆方向の通信は行われない。また、本例では、無線移動端末装置のプレススイッチをユーザが押すことにより通話の処理が開始されるプレストーク方式が用いられている。
【００３９】
（１）ある無線移動端末装置＃１においてユーザによりプレススイッチが押されると、グループ通話に関する処理が開始される。ここで、グループ通話の相手先としては、例えば、ユーザにより指定される態様が用いられてもよく、或いは、予め、グループ通話を行う複数の無線移動端末装置のグループ（組み合わせ）が設定されてもよい。本例では、グループ通話の相手先が２つの無線移動端末装置＃２、＃３であるとする。
無線移動端末装置＃１は、グループ通話を開始する際に、まず、グループ通話に呼び込む１つ以上（本例では、複数）の無線移動端末装置＃２、＃３の電話番号を決定する。
（２）そして、無線移動端末装置＃１は、決定した電話番号のデータを含めたグループ通話開始要求の信号を無線基地局装置１１１、１１２（無線移動端末装置＃１を収容している無線基地局装置）へ無線送信する。
【００４０】
（３）無線基地局装置１１１、１１２は、前記したグループ通話開始要求を受信すると、グループ通話に呼び込む（本例では、複数の）無線移動端末装置＃２、＃３の電話番号のデータとグループ通話開始要求メッセージを含めたＲＴＣＰのＡＰＰ（Ａｐｐｌｉｃａｔｉｏｎ  Ｄｅｆｉｎｅｄ）パケットを作成する。
（４）そして、無線基地局装置１１１、１１２は、作成したＲＴＣＰのＡＰＰパケットを、グループ通話開始要求の信号として、グループ通話サーバ１０１へ送信する。
【００４１】
ここで、本例では、グループ通話サーバ１０１には、グループ通話を制御する最大の数（最大グループ通話制御数）が設定されており、この最大数以下のグループ通話を制御する。最大グループ通話制御数は、例えば、処理の負荷に応じて、１０グループなどのように決められる。
グループ通話サーバ１０１は、前記したＡＰＰパケットを受信すると、現在において制御しているグループ通話の数に基づいて、新たなグループ通話の制御をすると最大グループ通話制御数を超えるか否かを判定し、超えない場合には（５）〜（８）の処理を行い、超える場合には（９）〜（１０）の処理を行う。
【００４２】
（５）グループ通話サーバ１０１は、前記したＡＰＰパケットの内容に基づいて、無線移動端末装置＃１が無線移動端末装置＃２、＃３へグループ通話を希望していることを把握する。新たなグループ通話を制御しても最大グループ通話制御数を超えない時には、グループ通話サーバ１０１は、ロケーションテーブルの内容に基づいて、指定された電話番号から接続先のＩＰアドレス（本例では、無線移動端末装置＃２、＃３のＩＰアドレス）を検索して、検索されたＩＰアドレスを使用してグループ通話を確立する。
（６）また、グループ通話サーバ１０１は、ＲＴＰ制御を開始する。
【００４３】
このようにして、ＡＰＰパケットの送信元のＩＰアドレス（本例では、無線移動端末装置＃１のＩＰアドレス）と検索されたＩＰアドレス（本例では、無線移動端末装置＃２、＃３のＩＰアドレス）との間で、ＲＴＰ制御が開始されて、グループ通話セッションが確立される。
（７）グループ通話サーバ１０１は、送信元のＩＰアドレスに対して、ＡＣＫメッセージを含めたＲＴＣＰのＡＰＰパケットをグループ通話開始ＡＣＫ応答の信号として送信して、無線移動端末装置＃１にグループ通話が開始したことを通知する。このＡＰＰパケットは、まず、無線基地局装置１１１、１１２へ送信される。
（８）そして、このＡＰＰパケット（グループ通話開始ＡＣＫ応答の信号）は、無線基地局装置１１１、１１２から無線移動端末装置＃１へ無線送信される。
これにより、無線移動端末装置＃１から無線移動端末装置＃２、＃３へのグループ通話（本例では、音声通信）が開始される。
【００４４】
（９）一方、新たなグループ通話を制御すると最大グループ通話制御数を超える時には、グループ通話サーバ１０１は、送信元のＩＰアドレスに対して、ＮＡＣＫメッセージを含めたＲＴＣＰのＡＰＰパケットをグループ通話開始ＮＡＣＫ応答の信号として送信して、無線移動端末装置＃１にグループ通話が開始できないことを通知する。このＡＰＰパケットは、まず、無線基地局装置１１１、１１２へ送信される。
（１０）そして、このＡＰＰパケット（グループ通話開始ＮＡＣＫ応答の信号）は、無線基地局装置１１１、１１２から無線移動端末装置＃１へ無線送信される。
【００４５】
上記した（５）〜（８）の処理によりグループ通話が行われているときに、グループ通話を終了させる処理（１１）〜（１５）を説明する。
（１１）無線移動端末装置＃１において、例えばユーザからの操作に応じて、グループ通話を停止することが決定されると、グループ通話停止要求の信号を無線基地局装置１１１、１１２へ無線送信する。
（１２）無線基地局装置１１１、１１２は、前記したグループ通話停止要求を受信すると、グループ通話停止要求メッセージを含めたＲＴＣＰのＡＰＰパケットを、グループ通話停止要求の信号として、グループ通話サーバ１０１へ送信する。
（１３）グループ通話サーバ１０１は、前記したグループ通話停止要求を受信すると、そのグループ通話（本例では、無線移動端末装置＃１、＃２、＃３に関するグループ通話）について、ＲＴＰ制御を停止して、グループ通話制御を終了する。
【００４６】
（１４）グループ通話サーバ１０１は、送信元のＩＰアドレスに対して、グループ通話停止応答メッセージを含めたＲＴＣＰのＡＰＰパケットをグループ通話停止応答の信号として送信して、無線移動端末装置＃１にグループ通話が終了したことを通知する。このＡＰＰパケットは、まず、無線基地局装置１１１、１１２へ送信される。
（１５）そして、このＡＰＰパケット（グループ通話停止応答の信号）は、無線基地局装置１１１、１１２から無線移動端末装置＃１へ無線送信される。
【００４７】
図６には、ＡＰＰパケットのフォーマットの一例を示してある。
図６（ａ）にはＡＰＰパケットの構成例を示してあり、図６（ｂ）にはパケットフィールドの構成例を示してある。
例えば、無線移動端末装置＃１が無線移動端末装置＃２、＃３へのグループ通話を要求する場合には、送信者識別子に送信者である無線移動端末装置＃１の電話番号のデータが含められ、接続先データにグループ通話を行う相手先となる各無線移動端末装置＃２、＃３の電話番号のデータが含められ、メッセージ種別としてグループ通話開始要求（ＲＥＱ）が用いられる。
【００４８】
以上のように、本例の無線通信システムでは、ＳＩＰ／ＳＤＰスタックを備えたグループ通話サーバ１０１は、同時に複数のグループ通話の制御が可能である。この制御可能なグループ通話の数は予め決められてグループ通話サーバ１０１内に設定されており、制御可能なグループ通話の数を超えては制御を行わない。
ＳＩＰ／ＳＤＰスタックを備えたアクセスゲートウエイ１０２は、起動時に、当該アクセスゲートウエイ１０２が収容可能な無線移動端末装置数分のＳＩＰ  ＵＡを起動する。また、各ＳＩＰ  ＵＡは、グループ通話サーバ１０１に対して、ＳＩＰによるグループ通話のためのセッション制御を開始する。また、このグループ通話を行うためのセッション制御において、グループ通話接続先のＲＴＰのＩＰアドレスを無線基地局装置１１１、１１２で設定しているＩＰアドレスの１つにする。
【００４９】
また、本例では、グループ通話サーバ１０１は、グループ通話のためのセッションがグループ通話サーバ１０１とアクセスゲートウエイ１０２との間で確立した際に、ＲＴＰ制御を停止状態（無音声を送らない状態）にする。
また、ＲＴＰ／ＲＴＣＰスタックを備えた無線基地局装置１１１、１１２は、起動時に、当該無線基地局装置１１１、１１２が収容可能な無線移動端末数分のＩＰアドレスの設定を行う。また、無線基地局装置１１１、１１２は、無線移動端末装置１２１〜１２４が当該無線基地局装置１１１、１１２の無線エリア１３１、１３２内に移動してきた場合、又は、当該無線基地局装置１１１、１１２の無線エリア１３１、１３２内の無線移動端末装置１２１〜１２４が電源を入れた場合に、前記設定を行ったＩＰアドレスの１つを割り当てる。
【００５０】
また、無線基地局装置１１１、１１２は、例えば前記したＩＰアドレスの割り当てと同時に、検出した無線移動端末装置１２１〜１２４の電話番号を含めたＲＴＣＰのＳＤＥＳパケットをグループ通話サーバ１０１へ送信する。グループ通話サーバ１０１は、前記ＳＤＥＳパケットを受信すると、当該グループ通話サーバ１０１内に設けてあるロケーションテーブルに電話番号及びＩＰアドレスを登録する。
【００５１】
無線基地局装置１１１、１１２は、無線移動端末装置１２１〜１２４がグループ通話を開始する際に、グループ通話に呼び込む（本例では、複数の）無線移動端末装置１２１〜１２４の電話番号を含めたＲＴＣＰのＡＰＰパケットを送信する。グループ通話サーバ１０１は、前記ＡＰＰパケットを受信すると、最大グループ通話制御数を超えない時には、指定された電話番号から接続先のＩＰアドレスを検索し、ＡＰＰパケットの送信元のＩＰアドレスと検索された（本例では、複数の）ＩＰアドレスとの間でＲＴＰ制御を開始してグループ通話を確立する。その後、グループ通話サーバ１０１は、送信元のＩＰアドレスに対してＡＣＫメッセージを含めたＲＴＣＰのＡＰＰパケットを送信する。
【００５２】
一方、グループ通話サーバ１０１は、無線基地局装置１１１、１１２から前記したＡＰＰパケット（グループ通話開始要求）を受信した場合に、最大グループ通話制御数を超える時には、送信元のＩＰアドレスに対してＮＡＣＫメッセージを含めたＲＴＣＰのＡＰＰパケットを送信する。
無線基地局装置１１１、１１２は、無線移動端末装置１２１〜１２４がグループ通話を停止する際に、グループ通話停止要求メッセージを含めたＲＴＣＰのＡＰＰパケットを送信する。グループ通話サーバ１０１は、前記ＡＰＰパケットを受信すると、ＲＴＰ制御を停止して、グループ通話制御を終了する。
【００５３】
従って、本例の無線通信システムでは、例えば、グループ通話を行うたびに無線移動端末装置毎にＳＩＰによるセッション制御を行わなくてもよく、ＲＴＣＰのみでグループ通話が可能になるため、グループ通話の開始までの時間を短縮することができる。これにより、従来のＩＰネットワークにおけるグループ通話接続の際の遅延を解消して、ＩＰネットワークにおけるグループ通話接続時間を短縮することができる。
【００５４】
また、本例の無線通信システムでは、無線基地局装置１１１、１１２とグループ通話サーバ１０１がＩＰネットワーク上で接続され、ＲＴＰ／ＲＴＣＰプロトコルでグループ通話を可能にするため、無線基地局装置１１１、１１２と無線移動端末装置１２１〜１２４との間の無線通信方式に依存せずに、グループ通話を実現することができる。このため、異なる無線通信方式を使用している無線移動端末装置１２１〜１２４の間でのグループ通話も容易に実現することができる。
【００５５】
また、本例の無線通信システムでは、同時に使用することができるグループ通話の数を増加させる場合には、例えば、グループ通話サーバ１０１を追加して設け（つまり、複数のグループ通話サーバを設け）、アクセスゲートウエイ１０２（１つでもよい）のＳＩＰ  ＵＡの動作を複数のグループ通話サーバに対してセッション制御を行うように変更することで、容易に拡張することが可能である。
【００５６】
ここで、グループ通話サーバや、アクセスゲートウエイや、無線基地局装置や、無線移動端末装置や、ルータや、ネットワークなどとしては、それぞれ、種々なものが用いられてもよく、また、種々な数だけ設けられてもよい。
また、本例では、図２に示されるように無線基地局装置１１１、１１２とグループ通話サーバ１０１とを最初に接続するためのアクセスゲートウエイ１０２を設けた構成例を示したが、他の構成例として、アクセスゲートウエイ１０２を設けずに、例えば、その機能を無線基地局装置１１１、１１２に設けたような構成が用いられてもよい。なお、本例のようにアクセスゲートウエイ１０２を設けた構成では、例えば、従来と同じ無線基地局装置をそのまま使用することが可能である。
また、本例では、一方向のグループ通信を示したが、例えば、双方向のグループ通信が用いられてもよい。
また、本例のような無線通信システムは、例えば、市町村防災システムなどの種々なものに適用することが可能である。
【００５７】
なお、本例の無線通信システムでは、図２に示されるように、無線基地局装置１１１、１１２とグループ通話サーバ（グループ通信サーバの一例）１０１との間で、アクセスゲートウエイ１０２を介して、無線移動端末装置１２１〜１２４に未割り当てであるＩＰアドレスについて通信パスを接続する（本例では、ＲＴＰ／ＲＴＣＰの通信パスを接続する）機能により通信パス接続手段が構成されている。
【００５８】
また、本例の無線基地局装置１１１、１１２では、図３に示されるように、自装置に収容される無線移動端末装置１２１〜１２４を検出する機能により端末検出手段が構成されており、検出した無線移動端末装置１２１〜１２４にＩＰアドレスを割り当てる機能により割当手段が構成されており、無線移動端末装置１２１〜１２４の識別情報（本例では、電話番号の情報）とＩＰアドレスの対応をグループ通話サーバ１０１へ通知する機能により通知手段が構成されている。
また、本例のグループ通話サーバ１０１では、図３に示されるように、無線基地局装置１１１、１１２から前記通知を受信する機能により通知受信手段が構成されており、受信した通知の内容に基づいてロケーションテーブルに無線移動端末装置１２１〜１２４の識別情報とＩＰアドレスの対応を記憶する機能により対応記憶手段が構成されている。
【００５９】
また、本例の無線移動端末装置１２１〜１２４では、図５に示されるように、グループ通信（本例では、グループ通話）の開始要求を無線基地局装置１１１、１１２へ無線送信する機能により端末開始要求手段が構成されている。
また、本例の無線基地局装置１１１、１１２では、図５に示されるように、無線移動端末装置１２１〜１２４からグループ通信の開始要求を受信する機能により基地局開始要求受信手段が構成されており、グループ通信の開始要求をグループ通話サーバ１０１へ送信する機能により基地局開始要求手段が構成されている。
また、本例のグループ通話サーバ１０１では、図５に示されるように、無線基地局装置１１１、１１２からグループ通信の開始要求を受信する機能によりサーバ開始要求受信手段が構成されており、グループ通信に係る各無線移動端末装置１２１〜１２４の識別情報からＩＰアドレスを特定する機能によりＩＰアドレス特定手段が構成されており、特定したＩＰアドレスを用いてグループ通信を確立する機能によりグループ通信確立手段が構成されている。
【００６０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６１】
【図１】本発明の一実施例に係るＩＰネットワークシステムの構成例を示す図である。
【図２】ＩＰネットワークシステムにおける初期動作の流れの一例を示す図である。
【図３】ＩＰネットワークシステムにおける登録動作の流れの一例を示す図である。
【図４】ＳＤＥＳパケットのフォーマットの一例を示す図である。
【図５】ＩＰネットワークシステムにおけるグループ通話開始／停止の流れの一例を示す図である。
【図６】ＡＰＰパケットのフォーマットの一例を示す図である。
【図７】グループ通話開始の流れの一例を示す図である。
【符号の説明】
【００６２】
１０１・・グループ通話サーバ、  １０２・・アクセスゲートウエイ、  １０３、１０７、１０８・・ネットワーク、  １０４、１０６・・ルータ、  １０５・・マネッジドＩＰ網、  １１１、１１２・・無線基地局装置、  １２１〜１２４・・無線移動端末装置、  １３１、１３２・・無線エリア、
【図１】
2008294821.tif 000003
【図２】
2008294821.tif 000004
【図３】
2008294821.tif 000005
【図４】
2008294821.tif 000006
【図５】
2008294821.tif 000007
【図６】
2008294821.tif 000008
【図７】
2008294821.tif 000009